(57)【要約】  細長部材を保護するための巻付け可能な織物スリーブおよびその構築方法を提供する。スリーブは、織り壁を形成するように互いに織り合わされた複数の縦糸フィラメントと少なくとも１本の横糸フィラメントとを含む。織り壁は、対向端部間において長手方向に延在する対向側部を有する。対向側部は、スリーブのキャビティ内において細長部材と境を接するように、互いに対して部分的に重なり合った関係となるように中心長手方向軸を中心として巻付け可能である。少なくとも１本の縦糸フィラメントおよび／または横糸フィラメントは嵩張った毛羽のあるマルチフィラメントとして設けられる。嵩張った毛羽のあるマルチフィラメントは、２本以上の横糸および／または縦糸上にわたって延在する少なくとも１つの浮き部を形成するように織られている。少なくとも１つの浮き部は、標準の面ファスナのフックに容易に固定するのに十分なループを備える。
2020506308.tif 000002
【特許請求の範囲】
【請求項１】
細長部材を保護するための巻付け可能な織物スリーブであって、
互いに織り合わされた複数の縦糸フィラメントと少なくとも１本の横糸フィラメントとを含む壁を含み、前記壁は、対向端部同士の間に中心長手方向軸に対してほぼ平行な関係で長手方向に延在する対向側部を有し、前記対向側部は、前記スリーブのキャビティ内において前記細長部材と境を接するように、互いに部分的に重なり合った関係となるように前記中心長手方向軸を中心として巻付け可能であり、
前記縦糸フィラメントおよび／または前記横糸フィラメントのうち少なくとも１つは、２本以上の横糸および／または縦糸上にわたって延在する少なくとも１つの浮き部を形成するように織られた嵩張った毛羽のあるマルチフィラメントとして設けられており、前記少なくとも１つの浮き部は、標準の面ファスナのフックに取付けるのに適したループを備える、巻付け可能な織物スリーブ。
【請求項２】
互いに隣り合う前記嵩張った毛羽のあるマルチフィラメントとして設けられている複数の前記縦糸フィラメントをさらに含み、隣り合う前記嵩張った毛羽のあるマルチフィラメントは、前記ループの別個のファスナ・パッチを形成するように互いに隣り合う浮き部を有する、請求項１に記載の巻付け可能な織物スリーブ。
【請求項３】
互いに隣り合う前記嵩張った毛羽のあるマルチフィラメントとして設けられている複数の前記横糸フィラメントをさらに含み、隣り合う前記嵩張った毛羽のあるマルチフィラメントは、前記ループの別個のファスナ・パッチを形成するように互いに隣り合う浮き部を形成する、請求項１に記載の巻付け可能な織物スリーブ。
【請求項４】
少なくとも１つの前記浮き部は綾織りパターンを有するように形成される、請求項１に記載の巻付け可能な織物スリーブ。
【請求項５】
少なくとも１つの前記浮き部は、朱子織りパターンを有するように形成される、請求項１に記載の巻付け可能な織物スリーブ。
【請求項６】
少なくとも１つの前記浮き部は、前記壁の長さの一部分のみにわたって延在するように形成される、請求項１に記載の巻付け可能な織物スリーブ。
【請求項７】
複数の少なくとも１つの前記浮き部は前記壁の長さ全体に沿って連続して延在している、請求項１に記載の巻付け可能な織物スリーブ。
【請求項８】
前記浮き部は、前記壁の円周の一部分のみにわたって延在するように形成することができる、請求項２に記載の巻付け可能な織物スリーブ。
【請求項９】
前記浮き部は、前記壁の円周全体のまわりに延在するように形成することができる、請求項２に記載の巻付け可能な織物スリーブ。
【請求項１０】
前記縦糸フィラメントのうち少なくともいくつかがモノフィラメントとして設けられる、請求項２に記載の巻付け可能な織物スリーブ。
【請求項１１】
前記横糸フィラメントのうち少なくともいくつかは、ヒートセットされて前記対向側部を付勢して前記対向側部を互いに対して部分的に重なり合った関係にするためのヒートセット可能なモノフィラメントとして設けられている、請求項１に記載の巻付け可能な織物スリーブ。
【請求項１２】
前記横糸フィラメントの各々は、ヒートセットされて前記対向側部を付勢して前記対向側部を互いに対して部分的に重なり合った関係にするためのヒートセット可能なモノフィラメントとして設けられている、請求項１１に記載の巻付け可能な織物スリーブ。
【請求項１３】
前記縦糸フィラメントは複数の窪みにわたって織り合わされており、前記複数の窪みは各々、複数のフィラメントを含み、前記複数のフィラメントのうち少なくとも１つは前記嵩張った毛羽のあるマルチフィラメントを含む、請求項１に記載の巻付け可能な織物スリーブ。
【請求項１４】
前記複数のフィラメントのうち少なくとも１つは、前記嵩張った毛羽のあるマルチフィラメントのデニールよりも高いデニールを有する標準マルチフィラメントである、請求項１３に記載の巻付け可能な織物スリーブ。
【請求項１５】
前記嵩張った毛羽のあるマルチフィラメントは朱子織りパターンで織られており、前記標準マルチフィラメントは平織りパターンで織られている、請求項１４に記載の巻付け可能な織物スリーブ。
【請求項１６】
前記嵩張った毛羽のあるマルチフィラメントの線形質量は約２１０ｔｅｘ〜約２５０ｔｅｘである、請求項１４に記載の巻付け可能な織物スリーブ。
【請求項１７】
前記標準マルチフィラメントの線形質量は約１３３ｔｅｘ〜約１４７ｔｅｘである、請求項１６に記載の巻付け可能な織物スリーブ。
【請求項１８】
細長部材を保護するための巻付け可能な織物スリーブを構築する方法であって、
織り壁を形成するように、複数の縦糸フィラメントと少なくとも１本の横糸フィラメントとを互いに織り合わせるステップと、
対向端部間において長手方向に延在する対向側部を有する前記壁を織るステップとを含み、前記対向側部は、互いに対して部分的に重なり合った関係となるように、中心長手方向軸を中心として巻付け可能であり、前記方法はさらに、
少なくとも１本の縦糸フィラメントおよび／または横糸フィラメントを嵩張った毛羽のあるマルチフィラメントとして織り合わせて、毛羽のあるマルチフィラメントで２本以上の横糸および／または縦糸上にわたって延在する少なくとも１つの浮き部を形成するステップを含み、前記少なくとも１つの浮き部は、標準の面ファスナのフックへの固定のために構成された複数のループを形成している、方法。
【請求項１９】
隣り合う嵩張った毛羽のあるマルチフィラメントが互いに隣り合う浮き部を形成して、前記ループの少なくとも１つの別個のファスナ・パッチを形成するように、複数の前記縦糸フィラメントを、互いに隣り合う前記嵩張った毛羽のあるマルチフィラメントとして織り合わせるステップをさらに含む、請求項１８に記載の方法。
【請求項２０】
前記壁の長さの一部分のみにわたって延在するように前記少なくとも１つの別個のパッチを形成するステップをさらに含む、請求項１９に記載の方法。
【請求項２１】
前記壁の前記長さに沿って複数の前記別個のパッチを形成するステップをさらに含み、複数の前記パッチは、互いに対して軸方向に位置合わせされており、前記壁のうちパッチのない部分によって互いから軸方向に間隔を空けて配置されている、請求項２０に記載の方法。
【請求項２２】
前記壁の円周の一部分のみにわたって延在するように前記パッチを形成するステップをさらに含む、請求項２１に記載の方法。
【請求項２３】
前記壁の円周の全体のまわりに延在するように前記パッチを形成するステップをさらに含む、請求項２１に記載の方法。
【請求項２４】
互いに直接隣り合うとともに前記壁の長さ全体に沿って互いに軸方向に位置合わせされた複数の別個のパッチを形成するステップをさらに含む、請求項１９に記載の方法。
【請求項２５】
隣り合う嵩張った毛羽のあるマルチフィラメントが互いに隣り合う浮き部を形成して前記ループの少なくとも１つの別個のファスナ・パッチを形成するように、複数の前記横糸フィラメントを互いに隣り合う前記嵩張った毛羽のあるマルチフィラメントとして織り合わせるステップをさらに含む、請求項１８に記載の方法。
【請求項２６】
前記壁の長さの一部分のみにわたって延在するように前記少なくとも１つの別個のパッチを形成するステップをさらに含む、請求項２５に記載の方法。
【請求項２７】
前記壁の前記長さに沿って複数の前記別個のパッチを形成するステップをさらに含み、前記複数のパッチは、互いに対して軸方向に位置合わせされており、前記壁のうちパッチのない部分によって互いから軸方向に間隔を空けて配置されている、請求項２６に記載の方法。
【請求項２８】
前記壁の円周の一部分のみにわたって延在するように前記パッチを形成するステップをさらに含む、請求項２７に記載の方法。
【請求項２９】
前記壁の円周の全体のまわりに延在するように前記パッチを形成するステップをさらに含む、請求項２７に記載の方法。
【請求項３０】
互いに直接隣り合う複数の前記別個のパッチを形成するステップをさらに含み、複数の前記別個のパッチは、前記壁の円周の全体のまわりに延在するように互いに対して円周方向に位置合わせされている、請求項２５に記載の方法。
【請求項３１】
前記縦糸フィラメントのうち少なくともいくつかをモノフィラメントとして織り合わせるステップをさらに含む、請求項２５に記載の方法。
【請求項３２】
前記横糸フィラメントのうち少なくともいくつかを、ヒートセット可能なモノフィラメントとして織り合わせるステップをさらに含み、前記ヒートセット可能なモノフィラメントは、ヒートセットされて前記対向側部を付勢して前記対向側部を互いに対して部分的に重なり合った関係にするためのものである、請求項２５に記載の方法。
【請求項３３】
複数の窪み上にわたって前記縦糸フィラメントを織り合わせるとともに、各々が複数のフィラメントを含む前記複数の窪みを設けるステップを含み、前記複数のフィラメントのうち少なくとも１つは前記嵩張った毛羽のあるマルチフィラメントを含む、請求項１８に記載の方法。
【請求項３４】
前記複数のフィラメントのうち少なくとも１つを、前記嵩張った毛羽のあるマルチフィラメントのデニールよりも高いデニールを有する標準マルチフィラメントとして設けるステップをさらに含む、請求項３３に記載の方法。
【請求項３５】
前記嵩張った毛羽のあるマルチフィラメントを朱子織りパターンで織るとともに、前記標準マルチフィラメントを平織りパターンで織るステップをさらに含む、請求項３４に記載の方法。
【請求項３６】
線形質量が約２１０ｔｅｘ〜約２５０ｔｅｘである前記嵩張った毛羽のあるマルチフィラメントを設けるステップをさらに含む、請求項３４に記載の方法。
【請求項３７】
線形質量が約１３３ｔｅｘ〜約１４７ｔｅｘである前記標準マルチフィラメントを設けるステップをさらに含む、請求項３６に記載の方法。
【請求項３８】
線形質量が約２１０ｔｅｘ〜約２５０ｔｅｘである前記嵩張った毛羽のあるマルチフィラメントを設けるステップをさらに含む、請求項１８に記載の方法。
【発明の詳細な説明】
【技術分野】
【０００１】
関連出願の相互参照
本願は、２０１７年２月１日に提出された米国仮出願連続番号第６２／４５３，１４３号および２０１８年１月３１日に提出された米国実用出願連続番号第１５／８８５，６３８号の利益を主張するものであって、それらの全体が引用により本願に援用されている。
【０００２】
発明の背景
１．技術分野
本発明は、概して、細長部材を保護するための織物スリーブに関し、より特定的には、支持部材に取付けられるように構成された織物スリーブに関する。
【背景技術】
【０００３】
２．関連技術
一般に、ワイヤはまとめて束ねられて、ワイヤハーネス形状の織物スリーブによって保護されている。ワイヤハーネスは、車両フレーム部材または他の何らかの車両構成要素などの外部支持部材に固定されて、固定位置で維持されることが多い。典型的には、クリップ、接着剤、プラスチック留め具および別個に設けられた面ファスナなどの補助部材は、ワイヤハーネスとは別個であって、ワイヤハーネスを適所に固定するために用いられている。この場合、フック部分またはループ部分のうちの一方は、フック部分またはループ部分のうち所望の支持部材に固定される他方の部分に固定するために、縫い目または接着剤などを用いる二次的動作によってスリーブの外表面に固定される。これらの機構はワイヤハーネスを適所に固定するのに有用であることを証明することができるが、二次的製品および二次的動作に関連する費用を伴う。
【発明の概要】
【発明が解決しようとする課題】
【０００４】
この明細書中の開示に従って構築されるスリーブは、少なくとも上述の欠点を克服する。
【課題を解決するための手段】
【０００５】
発明の概要
細長部材を保護するための巻付け可能な織物スリーブは、織り壁を形成するように互いに織り合わされた複数の縦糸フィラメントおよび少なくとも１本の横糸フィラメントを含む。織り壁は、対向端部間に長手方向に延在する対向側部を有する。対向側部は、スリーブのキャビティ内において細長部材と境を接するように、互いに部分的に重なり合った関係となるように中心長手方向軸を中心として巻付け可能である。織り壁を支持部材に容易に固定できるようにするために、少なくとも１本の縦糸フィラメントおよび／または横糸フィラメントは嵩張った毛羽のあるマルチフィラメントとして設けられる。嵩張った毛羽のあるマルチフィラメントは、２本以上の横糸および／または縦糸の上にわたって延在する少なくとも１つの浮き部を形成するように織られている。少なくとも１つの浮き部は、標準の面ファスナのフックに容易に固定するのに十分なループを備える。
【０００６】
本発明のさらなる局面に従うと、複数の縦糸フィラメントは、互いに隣り合う嵩張った毛羽のあるマルチフィラメントとして設けられている。隣り合う嵩張った毛羽のあるマルチフィラメントは互いに隣り合う浮き部を形成している。
【０００７】
本発明のさらなる局面に従うと、複数本の横糸フィラメントは、互いに隣り合う嵩張った毛羽のあるマルチフィラメントとして設けられている。隣り合う嵩張った毛羽のあるマルチフィラメントは互いに隣り合う浮き部を形成している。
【０００８】
本発明のさらなる局面に従うと、当該浮き部は綾織りパターンを有するように形成することができる。
【０００９】
本発明のさらなる局面に従うと、当該浮き部は朱子織りパターンを有するように形成することができる。
【００１０】
本発明のさらなる局面に従うと、当該浮き部は、壁の長さの一部分のみにわたって延在するように形成することができる。
【００１１】
本発明のさらなる局面に従うと、当該浮き部は、壁の円周の一部分のみにわたって延在するように形成することができる。
【００１２】
本発明のさらなる局面に従うと、当該浮き部は、壁の長さ全体にわたって延在するように形成することができる。
【００１３】
本発明のさらなる局面に従うと、当該浮き部は、壁の円周全体にわたって延在するように形成することができる。
【００１４】
本発明のさらなる局面に従うと、縦糸フィラメントのうち少なくともいくつかはモノフィラメントとして設けることができる。
【００１５】
本発明のさらなる局面に従うと、横糸フィラメントのうち少なくともいくつかは、細長部材のまわりでのスリーブの組立てを容易にするために、ヒートセットされて対向側部を付勢して当該対向側部を互いに部分的に重なり合った関係にするためのヒートセット可能なモノフィラメントとして設けることができる。
【００１６】
本発明のさらなる局面に従うと、縦糸フィラメントは複数の窪み上にわたって織り合わされている。複数のくぼみは各々、複数のフィラメントを含んでおり、複数のフィラメントのうち少なくとも１つは嵩張った毛羽のあるマルチフィラメントを含んでいる。
【００１７】
本発明のさらなる局面に従うと、複数の窪みの各々における複数のフィラメントのうち少なくとも１つは、嵩張った毛羽のあるマルチフィラメントのデニールよりも高いデニールを有する標準マルチフィラメントである。
【００１８】
本発明のさらなる局面に従うと、嵩張った毛羽のあるマルチフィラメントは朱子織りパターンで織ることができるとともに、嵩張った毛羽のあるマルチフィラメントと同じ窪み内にある標準マルチフィラメントは平織りパターンで織ることができる。
【００１９】
本発明のさらなる局面に従うと、嵩張った毛羽のあるマルチフィラメントのデニールは約２１０ｔｅｘ〜約２５０ｔｅｘである。
【００２０】
本発明のさらなる局面に従うと、標準マルチフィラメントのデニールは約１４００Ｄｔｅｘである。
【００２１】
本発明のさらなる局面に従うと、細長部材を保護するための巻付け可能な織物スリーブを構築する方法は、織り壁を形成するように複数の縦糸フィラメントと少なくとも１本の横糸フィラメントとを互いに織り合わせるステップを含む。当該方法はさらに、対向端部間において長手方向に延在する対向側部を有する壁を織るステップを含む。対向側部は、スリーブのキャビティ内において細長部材と境を接するように、互いに部分的に重なり合った関係となるように中心長手方向軸を中心として巻付け可能である。織り壁を支持部材に容易に固定できるようにするために、当該方法は、少なくとも１本の縦糸フィラメントおよび／または横糸フィラメントを嵩張った毛羽のあるマルチフィラメントとして織るとともに、２本以上の横糸および／または縦糸上にわたって延在する少なくとも１つの浮き部を形成するように嵩張った毛羽のあるマルチフィラメントを織るステップを含む。少なくとも１つの浮き部は、標準の面ファスナのフックに容易に固定するのに十分なループを備える。
【００２２】
本発明のさらなる局面に従うと、当該方法は、複数の縦糸フィラメントを互いに隣り合う嵩張った毛羽のあるマルチフィラメントとして織り合わせるとともに、互いに隣り合う浮き部を有する隣り合う嵩張った毛羽のあるマルチフィラメントを織り合わせて、面ファスナとしてフックと噛み合うように構成されて広い表面積を有する複数ループを設けるステップを含む。
【００２３】
本発明のさらなる局面に従うと、当該方法はさらに、複数本の横糸フィラメントを互いに隣り合う嵩張った毛羽のあるマルチフィラメントとして織り合わせるとともに、隣り合う嵩張った毛羽のあるマルチフィラメントを織り合わせて、互いに隣り合う浮き部を形成するステップを含む。
【００２４】
本発明のさらなる局面に従うと、当該方法はさらに、浮き部を綾織りパターンで織るステップを含み得る。
【００２５】
本発明のさらなる局面に従うと、当該方法はさらに、朱子織りパターンを有する浮き部を織るステップを含み得る。
【００２６】
本発明のさらなる局面に従うと、当該方法はさらに、壁の長さの一部分のみにわたって延在するように浮き部を織るステップを含み得る。
【００２７】
本発明のさらなる局面に従うと、当該方法はさらに、壁の円周の一部分のみにわたって延在するように浮き部を織るステップを含み得る。
【００２８】
本発明のさらなる局面に従うと、当該方法はさらに、壁の長さ全体にわたって延在するように浮き部を織るステップを含み得る。
【００２９】
本発明のさらなる局面に従うと、当該方法はさらに、壁の円周全体にわたって延在するように浮き部を織るステップを含み得る。
【００３０】
本発明のさらなる局面に従うと、当該方法はさらに、スリーブの耐摩耗性を高めるために縦糸フィラメントのうち少なくともいくつかをモノフィラメントとして織り合わせるステップを含み得る。
【００３１】
本発明のさらなる局面に従うと、当該方法はさらに、横糸フィラメントのうち少なくともいくつかをヒートセットして、対向側部を付勢して当該対向側部を互いに部分的に重なり合った関係にするステップを含み得る。
【００３２】
本発明のさらなる局面に従うと、当該方法はさらに、複数の窪みにわたって縦糸フィラメントを織り合わせるとともに、各々が複数のフィラメントを含む複数の窪みを設けるステップを含み得る。窪みのうち少なくともいくつかの内部にある複数のフィラメントのうち少なくとも１本は、嵩張った毛羽のあるマルチフィラメントを含む。
【００３３】
本発明のさらなる局面に従うと、当該方法はさらに、複数のフィラメントのうち少なくとも１本を、複数の窪みの各々の内部において、嵩張った毛羽のあるマルチフィラメントのデニールよりも高いデニールを有する標準マルチフィラメントとして設けるステップを含み得る。
【００３４】
本発明のさらなる局面に従うと、当該方法はさらに、嵩張った毛羽のあるマルチフィラメントを朱子織りパターンで織るとともに、同じ窪み内において標準マルチフィラメントを平織りパターンで織るステップを含み得る。
【００３５】
本発明のさらなる局面に従うと、当該方法はさらに、デニールが約２１０ｔｅｘ〜約２５０ｔｅｘである嵩張った毛羽のあるマルチフィラメントを設けるステップを含み得る。
【００３６】
本発明のさらなる局面に従うと、当該方法はさらに、デニールが約１４０ｔｅｘ＋／−５％である標準マルチフィラメントを設けるステップを含み得る。
【００３７】
図面の簡単な説明
これらおよび他の特徴および利点は、現在好ましい実施形態および最良の形態についての以下の詳細な説明、添付の特許請求の範囲および添付の図面を考慮すると、当業者にとって容易に明らかになるだろう。
【図面の簡単な説明】
【００３８】
【図１】保護すべき細長部材のまわりに巻き付けられるとともに支持部材に取付けられている、図示される開示の一局面に従って構築される巻付け可能な保護織物スリーブを示す概略斜視図である。
【図１Ａ】支持部材に取付けられるべき、開示の一局面に従って構築される巻付け可能な保護織物スリーブを、スリーブが巻き付けられていない状態で示す概略平面図である。
【図２】支持部材に取付けられるべき、開示の別の局面に従って構築される巻付け可能な保護織物スリーブを、スリーブが巻き付けられていない状態で示す概略平面図である。
【図３】支持部材に取付けられるべき、開示のさらに別の局面に従って構築される巻付け可能な保護織物スリーブを、スリーブが巻き付けられていない状態で示す概略平面図である。
【図４】開示の一局面に従ってスリーブを構築するために用いられる織物組織図である。
【図５】開示の一局面に従って構築される巻付け可能な保護織物スリーブの壁を示す部分的な概略端面図である。
【図６】開示の別の局面に従って構築される巻付け可能な保護織物スリーブの壁を示す部分的な概略端面図である。
【図７】開示のさらに別の局面に従って構築される巻付け可能な保護織物スリーブの壁を示す部分的な概略端面図である。
【図８】開示のさらなる局面に従って構築される巻付け可能な保護織物スリーブの壁を示す部分的な概略端面図である。
【図９】保護すべき細長部材のまわりに巻き付けられるとともに支持部材に取付けられている、図示される開示の一局面に従って構築される巻付け可能な保護織物スリーブを示す概略斜視図である。
【図１０】図９の巻付け可能な保護織物スリーブを巻き付けられていない状態で示す概略平面図である。
【図１１】図９の巻付け可能な保護織物スリーブを示す概略断面図である。
【図１２】図９の巻付け可能な保護織物スリーブを構築するために用いられる織物組織図である。
【図１３】図１２の織物組織図などによって、開示の一局面に従って巻付け可能な保護織物スリーブを構築するのに用いられる縦糸端部フィラメントの種類を示す図である。
【図１４】開示の別の局面に従って巻付け可能な保護織物スリーブを構築するために用いられる図１３と同様の図である。
【発明を実施するための形態】
【００３９】
好ましい実施形態の詳細な説明
添付の図面をより詳細に参照すると、図１および図１Ａは、開示の現在好ましい非限定的な一実施形態に従って構築される巻付け可能な保護スリーブ（以降、単にスリーブ１０と称する）を概略的に示す。図１に示されるように、壁１６は、支持部材３２に解放可能に固定されるように構築される。スリーブ１０は、縦糸フィラメント１２とも称される複数の縦糸と、横糸フィラメント１４とも称される少なくとも１本または複数本の横糸とを含む。複数の縦糸と少なくとも１本または複数本の横糸とは互いに織り合わされて、単に壁１６とも称される織り合わされた下地を形成する。壁１６は対向側部１８および２０を有する。対向側部１８および２０は、スリーブ１０のうち円周方向に囲まれたキャビティ３０内において保護されるべき細長部材２８と境を接するように、互いに部分的に重なり合った関係になるように中心長手方向軸２２を中心として巻き付けられるように構成されている。対向側部１８および２０は、対向する開口端部２４と２６との間において中心長手方向軸２２に対してほぼ平行に長手方向に延在するように示されている。スリーブ１０を支持部材３２に容易に固定できるようにするために、少なくとも１本の縦糸フィラメント１２および／または横糸フィラメント１４（さらには、図１および図１Ａの非限定的な実施形態において複数の縦糸フィラメント１２として示されている）は、嵩張った毛羽のあるマルチフィラメント３３として設けられる。嵩張った毛羽のあるマルチフィラメント３３は各々、２本（図５）またはそれ以上（図６）の横糸および／または縦糸１２、１４上にわたって延在する少なくとも１つの浮き部３４を形成するように織られている。少なくとも１つの浮き部３４は、しばしばベルクロ（Ｖｅｌｃｒｏ）（登録商標）といった商品名で購入されるような標準の面ファスナのフック部分４０のフック３８に容易に固定するのに十分なループ３６を備えている。したがって、スリーブ１０は、壁１６に別個のループ・ファスナ部分を固定する必要なしに、支持部材３２に解放可能に固定することができる。なぜなら、スリーブ１０の壁１６に一体的に織り込まれたループ３６が、織り込まれる際に、スリーブ１０と一体的となったループ・ファスナ部分（ファスナ・パッチＰとも称される）を既に形成しているからである。
【００４０】
開示のさらなる局面に従うと、スリーブ１０は、壁１６が自動的に付勢されて中心長手方向軸２２を中心として丸まることで対向側部１８および２０が互いに部分的に重なり合った関係となるように、自己巻付きスリーブとして構築することができる。自己巻付きのための付勢は、少なくとも１本の横糸フィラメント１４または複数本の横糸フィラメント１４をヒートセットすることによってスリーブ１０の壁１６の内部に与えることができる。したがって、少なくとも１本または複数本の横糸フィラメント１４は、ヒートセット可能な１本の重合体フィラメントまたは複数本の重合体フィラメントとして設けることができる。ヒートセット可能な１本の横糸フィラメントまたは複数本の横糸フィラメント１４は、これらのうちいくつかまたはすべてが、好ましくは、ポリエステル（一例であってこれに限定されない）などのヒートセット可能な熱可塑性物質からなるモノフィラメントであり、これにより、スリーブ１０をヒートセットするかまたは付勢して管状にすることができる。
【００４１】
図１および図１Ａに示される非限定的な一実施形態に従うと、複数の縦糸フィラメント１２は嵩張った毛羽のあるマルチフィラメント３３として設けられている。浮き部３４同士を互いに隣り合って連続させた状態で、複数の縦糸マルチフィラメント３３を互いに直接隣り合うとともに連続した関係となるように織り合わせることができるので、浮き部３４が円周方向に沿って互いに位置合わせされることとなる。このため、ループ３６のファスナ・パッチＰが、フック部分４０への取付けのために、嵩張った毛羽のある単一のマルチフィラメント３３によって形成されるであろうものに比べて大きめに形成される。上述のように、縦糸の浮き部３４は複数の隣り合う横糸フィラメント上にわたって延在しており、本発明の一局面に従うと、綾織りパターン（図５）または朱子織りパターン（図６）を有する浮き部３４を形成することができる。この場合、織物技術の熟練工によって理解され得るように、朱子織りパターンは、ループ３６のうち長手方向に延在するファスナ・パッチＰを綾織りパターンよりも長く形成するだろう。当然ながら、それぞれのパッチＰを互いに直接連続して形成することで大きなサイズのパッチＰを形成できることが認識されるはずである。縦糸の浮き部３４およびこれによって形成されるファスナ・パッチＰは、壁１６のうち支持部材３２に取付けられるべき選択された所望の位置において、壁１６の長さの一部分のみにわたって延在するように形成することができるか、または、以下に図示および説明されるように、パッチＰは、フック部分４０の用途と、ループ３６が取付けられることとなるフック部分４０のサイズおよび位置とに応じて、壁１４の長さ全体にわたって延在するように互いに直接隣り合う関係に形成することができる。
【００４２】
図１および図１Ａの実施形態においては、１対のファスナ・パッチＰは、互いから予め定められた軸方向に間隔を開けて配置された関係で、かつ、互いに軸方向および長手方向に位置合わせされた状態で、壁１６の選択領域上にわたって形成されており、これにより、ファスナ・パッチＰは、同様に間隔を空けて配置された１対またはそれ以上の対応するフック部分４０と位置合わせされるとともに解放可能に固定されるように自動的に配置されることとなる。１対のファスナ・パッチＰが図示されているが、スリーブ１０の長さに沿って任意の所望の数のファスナ・パッチＰが形成され得ることが認識されるはずである。ファスナ・パッチＰは別個の島として形成されるものとして示されており、これら別個の島は、互いに長手方向に位置合わせされた状態で互いから間隔を空けて配置されるとともに、対向側部１８、２０および対向端部２４、２６から間隔を空けて配置されている。各々のファスナ・パッチＰのサイズおよび位置は製造時に正確に制御することができ、これにより、ファスナ・パッチＰを後でフック部分４０に解放可能に固定できるようにサイズ決めおよび位置決めすることが確実にされる。ファスナ・パッチＰは縦糸の浮き部３４で形成されているが、壁１６の残りの部分は、必要に応じて、平織りパターンなどの任意の所望の織りパターンによって織ることができる。さらに、モノフィラメントおよび／またはマルチフィラメントを含む任意のタイプの毛羽のない縦糸がファスナ・パッチＰを含まない領域において使用可能であり、このため、ファスナ・パッチＰの対向側部上の壁１６の物理的性質が、使用される縦糸１２および横糸１４の種類に応じて所望の通りに提供され得ることが認識されるはずである。
【００４３】
図２においては、スリーブ１１０は開示の別の非限定的な実施形態に従って示されており、上述で用いられるのと同じ参照番号を、同様の特徴を識別するために１００の係数ずつずらして用いている。図１および図１Ａのスリーブ１０とは異なり、浮き部１３４、ループ１３６およびこれらによって形成されるそれぞれのファスナ・パッチＰ′は、一方の側部１１８から反対側の側部１２０にまで延在するように形成されており、このため、側部１１８および１２０が互いに部分的に重なり合った関係になるように巻き付けられると、別個のファスナ・パッチＰ′がスリーブ１１０の壁１１６の円周全体のまわりに延在することとなる。このため、ユーザは、支持部材３２に対するスリーブ１１０の円周方向の向きについて考慮することなく、スリーブ１１０を支持部材３２に固定することができ、これにより、支持部材３２へのスリーブ１１０の取付けを簡略化することができる。さらに、これにより、ユーザが、必要に応じて、部分的に重ね合わされた側部１１８と側部１２０との間に延在する（便宜上、図１に示される）継ぎ目４２を支持部材３２の方に方向付けることも可能となり、これにより継ぎ目４２を遮蔽することで、継ぎ目４２が意図せず開口してそこが汚染混入の入口となるのを防ぐことが可能となる。１対のファスナ・パッチＰが互いから軸方向に間隔を空けて配置された関係で図示されているが、任意の所望の数のファスナ・パッチＰがスリーブ１１０の長さに沿って形成され得ることが認識されるはずである。ファスナ・パッチＰを含まない壁１１６の領域において、縦糸フィラメント１１２と横糸フィラメント１１４とを互いに織り交ぜるために平織りなどの任意の所望の織りパターンが使用可能であることがさらに認識されるはずである。
【００４４】
図３においては、開示の別の非限定的な実施形態に従ったスリーブ２１０が示される。この場合、上記において用いられるのと同じ参照番号を、同様の特徴を識別するために２００の係数ずつずらして用いている。図１および図１Ａのスリーブ１０とは異なり、浮き部２３４、ループ２３６およびこれらによって形成されるそれぞれのファスナ・パッチＰ′′は、壁２１６の長さ全体に沿って連続して互いに直接隣り合って延在するように形成されている。直接隣り合うパッチＰ′′は、横糸フィラメント２１４（図３Ａ）によって互いから分割されている。このため、ユーザは、スリーブ１１０のパッチＰ′′を支持部材３２と軸方向に位置合わせすることを考慮することなく、スリーブ２１０の長さ全体を支持部材３２に固定することができ、これにより、支持部材３２へのスリーブ２１０の取付けを簡略化することができる。
【００４５】
開示の別の局面に従うと、上述の実施形態の各々においては、パッチＰ、Ｐ′、Ｐ′′を形成する浮き部３４、１３４、２３４を対応する縦糸フィラメント１２、１１２および２１２と織り合わせるのではなく、パッチＰ、Ｐ′、Ｐ′′を形成する浮き部３４、１３４、２３４が、この明細書中の開示を閲覧することによって当業者によって理解され得るように、必要に応じて、対応する横糸フィラメント１４、１１４、２１４（図７および図８）で形成され得る。
【００４６】
開示のさらなる局面に従うと、縦糸フィラメント１２、１１２、２１２のうちの少なくともいくつかは、モノフィラメントとして、および／または、ループ３６、１３６、２３６を形成する嵩張った毛羽のあるマルチフィラメント３３と比べてさほど嵩張っていないマルチフィラメントとして、設けることができる。したがって、スリーブ壁１６、１１６、２１６の大部分は意図した用途のために所望のとおりに形成することができ、壁１６、１１６、２１６の比較的わずかな部分が、必要に応じて、ループ３６、１３６および２３６のパッチＰ、Ｐ′、Ｐ′′を有するように形成されている。
【００４７】
図９においては、開示の別の非限定的な実施形態に従ったスリーブ３１０が示される。この場合、上記において用いられるのと同じ参照番号を、同様の特徴を識別するために３００の係数ずつずらして用いている。図１および図１Ａのスリーブ１０とは異なり、浮き部３３４、ループ３３６、およびこれらによって形成されるそれぞれのファスナ・パッチＰ′′′は、スリーブ３１０のうち一方の端部３２４から反対側の端部３２６までの外側に露出された表面の全体または実質的に全体（全体よりもわずかに小さい可能性があることを意味している）にわたって延在するように形成されるものとして示されている。スリーブ３１０が中心長手方向軸３２２を中心として巻付け可能な状態であれば、部分的に重なり合った領域（ＯＲ）は、壁３１６のうち、互いに部分的に重なり合った関係にある対向側部３１８および３２０から延在する領域によって形成されている。この場合、図１０および図１１に最も良く示されているように、下側の側部３１８に直接隣り合うとともに下側の側部３１８から延在している部分的に重なり合った領域ＯＲは、浮き部３３４を形成する嵩張った毛羽のある糸３３３を含んでおらず、これにより、部分的な重なりを密にすることが可能となり、さらに、対向側部３１８と対向側部３２０との所望の量の重なりについての視覚的な指標をもたらす。さらに、部分的に重なり合った領域ＯＲにおいて嵩張った毛羽のある糸３３３を含む必要がないことにより、より費用のかかる可能性のある嵩張った毛羽のある糸３３３を壁３１６全体にわたって含む必要がなくなることによって、スリーブ３１０のコストが下げられる。
【００４８】
図１２においては、織物組織図が開示の一局面に従って例示されている。この場合、織物組織図は、１〜１０の番号が付された水平軸に沿って縦糸フィラメント３１２の端部を示しており、縦糸フィラメント３１２は、列１〜１０に沿って垂直な縦糸方向に延在している。図においては、縦糸フィラメント３１２は、対応する横糸フィラメント３１４上を通る白スペースによって識別され、横糸フィラメント３１４は、対応する縦糸フィラメント３１２上を通る黒スペースによって識別される。したがって、列１〜８における垂直に延在する縦糸フィラメント３１２は、平織りパターン（一例であってこれに限定されない）で、水平に延在する対応する横糸フィラメント３１４と織り合わされるとともに、列９〜１０における垂直に延在する毛羽があり嵩張った縦糸マルチフィラメント３３３は、朱子織りパターン（一例であってこれに限定されない）として示される浮き部３３４を形成するのに十分なパターンで、水平に延在する対応する横糸フィラメント３１４と織り合わされる。開示の一局面に従った図１２の織りパターンは、図１３の縦糸端部の図において識別される縦糸フィラメント３１２および３３３を用いて追従される。図１３においては、約１３ｍｍ（一例であってこれに限定されない）の直径を有する図９のスリーブなどの非限定的なスリーブを構築するために３８個の窪みが用いられている。３８個の窪みの各々は、１本の縦糸端部フィラメントまたは複数の縦糸端部フィラメントで織られており、下側の側部３１８から延在する重なり領域（ＯＲ）に対応する縦糸窪み１〜１１が、窪み毎に２本の縦糸端部フィラメント３１２だけで織られており、一実施形態においては、白い円（〇）によって識別される２本の縦糸端部フィラメント３１２が、非限定的な実施形態において、約１３３ｔｅｘ〜約１４７ｔｅｘの線形質量を有する標準マルチフィラメントとして設けられている。対照的に、重なり領域（ＯＲ）から上側の側部３２０にまで延在するとともに非重なり領域に対応する残りの縦糸窪み１２〜３８の各々は、同じ２本の縦糸端部フィラメント３１２で織られており、加えて、黒丸（●）によって識別される嵩張った毛羽のある１本のマルチフィラメント３３３が、非限定的な実施形態において、約２３０ｔｅｘ＋／−２０ｔｅｘの線形質量を有するマルチフィラメントとして設けられている。したがって、窪み１〜３８の各々は複数の縦糸フィラメント３１２を含み、窪みのうちのいくつかはさらに、嵩張った毛羽のあるマルチフィラメント３３３を含む。嵩張った毛羽のあるマルチフィラメント３３３は、図１２の列９および列１０において示される織りパターンで織られており、このため、隣り合う窪みにおける嵩張った毛羽のあるマルチフィラメント３３３の朱子織りループ３３６は、互いに対して互い違いにずらした配置関係で形成されている。これにより、ループ３３６のない空いた空間または隙間の形成が回避され、ループ３３６による外表面の被覆が向上する。こうして、スリーブ３１０の外表面の全体を標準の面ファスナのフック部分４０のうち対応するフック３８に固定する機能が最大限にされる。図１３のチャートにおいては、当業者によって理解され得るように、各々の窪み１〜３８内における各々のフィラメントは、対応する記号（〇）および（●）の下にある対応する番号１〜１０によって図１２の列１〜１０に関連付けられたパターンのうちの１つで織られているものとして識別される。先の実施形態で述べたように、嵩張った毛羽のあるマルチフィラメント３３３が、ポリエチレンテレフタレート（polyethylene terephthalate：ＰＥＴ）１２×１６７ＦＲ（一例であってこれに限定されない）の規格で購入することができるような非常に軽量で高さのあるマルチフィラメントから形成されている場合、上述のように、標準の面ファスナのフック部分４０のフック３８への固定用に、多数の小さくて毛羽のあるループ３３６が設けられている。したがって、上述した実施形態のいずれにおいても、上述の嵩張った毛羽のあるマルチフィラメント３３３を使用できることが認識されるはずである。
【００４９】
横糸フィラメント３１４は、上述のとおり、モノフィラメントおよび／またはマルチフィラメントから提供することができ、現在好ましい一実施形態においては、約０．１８ｍｍ〜約０．２６ｍｍ、より好ましくは約０．２０ｍｍ〜約０．２４ｍｍ（一例であってこれらに限定されない）の直径を有するヒートセット可能なポリエステルモノフィラメントなどのヒートセット可能なフィラメントの少なくとも一部または全体から提供することができる。ヒートセット可能な横糸フィラメント３１４は、嵩張った毛羽のあるマルチフィラメント３３３のループ３３６の毛羽立ちが平坦にならないような温度でヒートセットすることができるとともに、一局面に従うと、壁３１６は、約３．７５ｍ／ｍｉｎで、約２０５°Ｃ＋／−５°Ｃでヒートセットすることができる。その結果、壁３１６は、図９および図１１に示されるように管状のヒートセット構成を保持する。
【００５０】
縦糸フィラメントおよび横糸フィラメント３１２、３１４、３３３の各々は、２５％を超える限界酸素指数（limit oxygen index：ＬＯＩ（ＬＯＩは、ポリマーの燃焼を支援するであろう（百分率として表わされる）酸素の最小濃度である））を有する難燃特性を備えたものとして提供することができ、これにより、スリーブ３１０を高温環境における使用に適したものにすることができる。上述の実施形態ごとに上で説明された縦糸フィラメントおよび横糸フィラメントが難燃特性を有するものとして提供され得ることが認識されるはずである。上述のスリーブを構築するために用いられるフィラメントがハロゲンフリーのフィラメントとして提供され得ることがこの明細書においてさらに企図されている。
【００５１】
上述の１３ｍｍ直径のスリーブよりも大きな直径または小さい直径を有するスリーブが上述の同様のパターンを用いて、より多くの縦糸フィラメントまたはより少ない縦糸フィラメントで作成され得ることがこの明細書中においてさらに企図されている。たとえば、約５ｍｍの直径を有するスリーブがこの明細書中において企図されており、この場合、約１９個の縦糸窪みを有するスリーブが作成可能であり、縦糸窪みのうち１５個は各々、３個の縦糸端部を含むように形成されている。３個の縦糸端部は、２本の縦糸フィラメント３１２と、毛羽があり嵩張った１本の縦糸マルチフィラメント３３３とを含む。２本の縦糸フィラメント３１２は、対応する横糸フィラメント３１４と平織りで織り合わされており、嵩張った縦糸マルチフィラメント３３３は、外側に面する浮き部を形成するように朱子織りパターンなどで織られている。一方で、残りの４つの窪みは各々、２本の縦糸フィラメント３１２を含むように形成することができる。４つの窪みのうちの２つは、互いに部分的に重なり合った関係となるように構成された、長手方向に延在する対向する側部に直接隣り合って延在している。このような例が図１４に示されている。関連する横糸がヒートセット可能なフィラメントなどから上述のように設けられ得ることが認識されるはずである。
【００５２】
明らかに、上記の教示に鑑みて本発明の多くの変形例および変更例が可能である。全ての請求項および全ての実施形態の全ての特徴は、互いに矛盾しない限り、互いに組合わされ得ると考えられる。したがって、添付の特許請求の範囲内であれば、本発明が具体的に記載されている以外の態様で実施され得ることが理解されるはずである。
【図１】
2020506308.tif 000003
【図１Ａ】
2020506308.tif 000004
【図２】
2020506308.tif 000005
【図３】
2020506308.tif 000006
【図３Ａ】
2020506308.tif 000007
【図４】
2020506308.tif 000008
【図５】
2020506308.tif 000009
【図６】
2020506308.tif 000010
【図７】
2020506308.tif 000011
【図８】
2020506308.tif 000012
【図９】
2020506308.tif 000013
【図１０】
2020506308.tif 000014
【図１１】
2020506308.tif 000015
【図１２】
2020506308.tif 000016
【図１３】
2020506308.tif 000017
【図１４】
2020506308.tif 000018
【国際調査報告】
2020506308.tif 000019
2020506308.tif 000020